(57)【要約】トラックにマークを書き込んで情報を記録するための記録媒体が記載されている。この記録媒体はトラックの位置を示すプリグルーブ（１４）を持つ。このプリグルーブはウォブルを表し、更にプリグルーブの形状、例えば幅又は深さ、に関する物理的パラメータの変化によって形成されるプリグルーブ変調（１３）を表す。前記マークは輻射線の第１のタイプの変化、例えば反射率の変化、によって輻射線ビームによりトラックをスキャンしている間に検出可能である。前記プリグルーブ変調は（１３）は、また、前記第１のタイプの変化により検出可能であり、前記ウォブルはスキャンの間、輻射線の第2のタイプの変化により検出可能となっている。
2006512707.tif 000002
【特許請求の範囲】
【請求項１】
トラックにマークを書き込むことにより情報を記録するための書き込み型記録媒体であって、輻射線ビームによりトラックをスキャンする間に輻射線の第1のタイプの変化によって前記マークが検出され、
前記記録媒体はトラックの位置を示すプリグルーブを有し、前記プリグルーブはトラックの長手方向に対して横方向に変位する溝によって形成されるウォブルを示し、前記プリグルーブは該プリグルーブの形状に関する物理的パラメータの変化により形成されるプリグルーブ変調を示し、
前記ウォブルはスキャンする間に輻射線の第2のタイプの変化によって検出可能であり、前記プリグルーブ変調は前記第１のタイプの更なる変化によりスキャンの間検出可能である記録媒体。
【請求項２】
前記第１のタイプの変化はトラックについての反射率のレベルの変化である請求項１に記載の記録媒体。
【請求項３】
前記マークに基づく前記第１の変化のタイプは実質的に第1の周波数範囲にあり、前記プリグルーブ変調に基づく第１のタイプの変化は実質的に周波数範囲が異なる請求項１に記載の記録媒体。
【請求項４】
前記ウォブルに基づく前記第2の変化のタイプは実質的にウォブルの周波数範囲であり、前記プリグルーブ変調による前記第１のタイプの変化は実質的に周波数範囲が異なる請求項1に記載の記録媒体。
【請求項５】
前記プリグルーブの形状に関する物理的パラメータはプリグルーブの深さ又は幅である請求項１に記載の記録媒体。
【請求項６】
前記プリグルーブ変調は情報の回復を制御するための制御情報を表す請求項１に記載の記録媒体。
【請求項７】
前記プリグルーブ変調はプログラム情報、特に、マークにより記録されるべき情報にアクセスするためのアクセス情報、オーディオ又はビデオ処理ソフトウエア、少なくともオーディオ又はビデオプログラムを表すコンテンツ情報を表す請求項１に記載の記録媒体。
【請求項８】
輻射線ビームにより記録媒体上のトラックをスキャンするための装置であって、前記記録媒体はトラックの位置を示すプリグルーブを有し、前記プリグルーブはトラックの長手方向に対して横方向に変位する溝によって形成されるウォブルを示し、前記プリグルーブは該プリグルーブの形状に関する物理的パラメータの変化により形成されるプリグルーブ変調を示し、
前記装置は、
−ビームを供給するヘッドと、
−トラック中のマークと、スキャンの間、輻射線の第1のタイプの変化によりプリグルーブ変調を検出するための主スキャン信号を生成し、スキャンの間、輻射線の第２のタイプの変化によりウォブルを検出するための補助スキャン信号を発生するための前置ユニットと、
−主スキャン信号からプリグルーブ変調に符号化された追加情報を取り出すためのプリグルーブ変調ユニットとを有する装置。
【請求項９】
前記プリグルーブ変調ユニットは、主スキャン信号からある周波数領域を濾過するためのフィルターユニットを有し、前記周波数領域はプリグルーブ変調による第1のタイプの変化を濾過するようにセットされている請求項８に記載の装置。
【請求項１０】
記録媒体によりユーザーに情報を提供するための方法であって、該方法は、
−請求項１に記載された書き込み型の記録媒体を与えるステップと、
−前記プリグルーブ変調とは独立して記録媒体に記録する情報を与えるステップとを有する方法。
【請求項１１】
前記記録媒体は１又は複数のコンテンツ情報のサンプルが供給され、前記記録する情報の供給はユーザーに前記サンプルの全バージョンを、特にネットワークを介して利用可能とする請求項１０に記載の方法。
【発明の詳細な説明】
【技術分野】
【０００１】
本発明は、トラックにマークを書き込むことにより、情報を記録するための書き込みタイプの記録媒体に関する。
【０００２】
本発明は、更に、記録媒体をスキャンする装置及び該記録媒体により情報を提供する方法に関する。
【背景技術】
【０００３】
情報を記録するための記録媒体は米国特許第５，２１０，７３８号によって知られている。この記録媒体は、光学的に読み取り可能なマークを記録することにより、予め定められた所定の方法によって情報が表示されるトラックの位置を示すための、通常プリグルーブと呼ばれるガイド溝を持っている。このプリグルーブはトラックの横方向に向かって周期的に蛇行するものである（更にウォブルとしても示される）。このウォブルは第１の付加的な情報によって周期的に変化し、付加的情報によって振幅が変わる。スキャン装置はトラックをスキャンするための輻射線ビームを発生するヘッドが設けられている。マークは、スキャンの間のスキャン表面の反射率の変化により検出される。反射した輻射線の強度の変化は主検出システムによって検出される。更に、スキャン装置は、トラックに対しての空間的変位を検出するため、ウォブルに基づく追従（トラッキング）サーボ信号を生成するための補助検出器を有している。この追従サーボ信号はトラックに対してヘッドを位置決めするためにアクチュエータを制御するために用いられる。ウォブルの周期の変化は第１の補助情報、例えば、アドレス情報を取り出すために検出される。ウォブルの振幅の変化は、補助検出器を介して第２補助情報を取り出すために検出される。既知の記録媒体における問題は、第２補助情報が限られているということである。プリグルーブの横変位の位置が周期と振幅によって変化するため、周期と振幅の変化は、共に、曲がりに影響を与える。この両方の変化は補助検出器からの信号により分離可能である。
【発明の開示】
【発明が解決しようとする課題】
【０００４】
したがって、本発明の目的は、より便利な方法で追加的チャンネルによりユーザーに情報を与えるための記録媒体、スキャン装置及び方法を提供することである。
【課題を解決するための手段】
【０００５】
本発明の第１の態様によれば、前記目的は、トラック内にマークを書き込むことにより、情報を記録するための書き込み可能タイプの記録媒体であって、前記マークはスキャンの期間に輻射線の第１のタイプの変化により輻射線ビームを介して検出可能であり、前記記録媒体は、トラックの位置を示すプリグルーブを有し、該プリグルーブはトラックの長手方向に対して横方向のプリグルーブの変位によって形成されるウォブルを表し、前記プリグルーブはプリグルーブの溝の形状に関する物理的パラメータの変化によって形成されるプリグルーブ変調を表し、前記ウォブルは前記輻射線の第２のタイプの変化によりスキャンの期間に検出可能であり、前記プリグルーブ変調は前記第１のタイプの更なる変化によりスキャンの期間に検出可能である、記録媒体によって達成される。
【０００６】
本発明の第２の態様によると、前記目的は、輻射線により記録媒体のトラックをスキャンする装置により達成され、この装置は、ビームを供給するヘッドと、トラック内のマークと輻射線の第１のタイプの変化によりスキャンする期間のプリグルーブ変調を検出するための主スキャン信号を生成し、輻射線の第２のタイプの変化によりスキャンの期間にウォブルを検出するための補助スキャン信号を生成する前置ユニット（フロントエンドユニット）と、主スキャン信号からプリグルーブ変調内にエンコードされた付加的情報を取り出すためのプリグルーブ変調ユニットとを有する。
【０００７】
本発明の第３の態様によると、前記目的は、記録媒体を介してユーザーに情報を提供する方法により達成され、この方法は、上記に定義された記録媒体を提供し、プリグルーブ変調に基づいて、記録媒体に記録するための情報を提供するステップを有する。
【０００８】
この手段による効果は、プリグルーブは、例えば、深さや幅のように形状が変化し、この形状の変化は２次的情報をエンコードするために変調されることである。この形状の変化を与えることは、プリグルーブからの反射輻射線の変化をもたらし、これは記録マークによる変化と同様に検出することができる。このことは、プリグルーブ変調もまたウォブルから情報を取り出すために補助的な検出装置を設けることなく光学的記録媒体をスキャンするのに使用する装置のような装置で検出できることである。更に、ユーザーは、プリグルーブにより書き込み可能な記録媒体に利用できる補助的情報に基づいて、例えば特定の内容の情報を貯蔵することができる。更に、記録媒体上の主たる情報は既存のスキャン装置によりプリグルーブ変調を使用することなく、後方に互換性を与えて読み取ることが可能である（明らかにプリグルーブ変調からの付加的データの助けを借りることなく）ということに留意すべきである。
【０００９】
本発明は、また、以下の認識に基づいている。マークのデータ容量がデータ記憶システムの主たる設計目的となるため、マークによる第１のタイプの変化は、高い周波数範囲のリード信号を生成する。本発明者らはリード信号スペクトルの少なくも２つの低周波数部分はプリグルーブの変化により変調されるように利用できる。洗練された信号処理を使用してリード信号の第１のタイプの変化をリード信号の他の変化から分離することができる。これとは逆に、米国特許第５，２１０，７３８号のようにウォブルの振幅がウォブルのなかに存在する周期の変調により制限を受け、その周期はリード信号より実質的に低い周波数領域を持つ。更に、サーボトラッキング信号を生成するための第２のタイプの変化を取り扱うために利用できる検出システムと信号処理は通常は低周波数領域である。したがって、大データ容量を持つ追加的データチャンネルは本発明によるプルグルーブ変調により利用可能となる。
【００１０】
記録媒体の実施態様において、マークに基づく前記第1のタイプの変化は実質的に第1の周波数領域にあり、プリグルーブ変調に基づく第1のタイプの変化は実質的に異なる周波数領域にある。このことは、プリグルーブ変調による変化が前記第1のタイプの変化を検出するリード信号から容易に濾過することができるという利点がある。
【００１１】
記録媒体の実施態様において、ウォブルに起因する第2のタイプの変化はウォブルの周波数領域にあり、そこでは、プリグルーブ変調による第1のタイプの変化が実質的に異なる周波数領域にある。このことは、ウォブル変調とプルグルーブ変調との間の干渉又はクロストークが減少するという利点を持つ。
【００１２】
記録媒体の実施態様において、プリグルーブ変調は、プログラム情報、特にマークにより記録されるべき情報にアクセスするためのアクセス情報、オーディオ又はビデオ処理ソフトウエア、又は少なくともオーディオ又はビデオプログラムの一部を表示するコンテンツ情報を表す。これは、ユーザーがプログラム情報を適用している間、又はそれに基づいて情報を記憶又は取り出すことできるという利点がある。
【００１３】
本装置における実施態様において、主検出手段は主検出器により検出されたリード信号からある周波数領域を濾過するためのフィルターを持ち、その周波数領域は、プリグルーブ変調に基づく第1のタイプの変化を濾過する周波数の範囲である。このことは、プリグルーブによる変化が容易にリード信号から分離又は除去されるという利点を持つ。
【００１４】
本発明による更なる好ましい実施態様は更にクレームに記載される。
【発明を実施するための最良の形態】
【００１５】
本発明のこれらの態様及び他の態様は、以下の図面を参照して記載された実施態様により明らかであり、また明らかにされるであろう。図において、
図１ａはディス型記録媒体を示し、
図１ｂは記録媒体の断面を示し、
図１ｃはトラックのウォブルの例を示し、
図１１ｄはプルグルーブ変調を持つウォブルを示し、
図２はプリグルーブ変調検出を持つスキャン装置を示し、
図３は書き込みのないトラック及び書き込まれたトラックを模式的に示す図であり、
図４はトラックを横切る方向の反射プロファイルを示す図である。
【００１６】
図中、既に示された要素に対応する要素は同じ符号を付している。
【００１７】
図１ａはトラック9及び中央孔１０を持つディスク型記録媒体を示す。トラック９は情報層上で実質的に平行のトラックを形成する螺旋状の旋回となるように設けられる。記録媒体は記録可能な形式の情報層を持つ光学的ディスクとすることができる。記録可能なディスクの例としては、ＣＤ−ＲとＣＤ−ＲＷ，及びＤＶＤ＋ＲＷがある。記録可能形式の記録媒体上のトラック９は、ブランクの記録媒体を製造する間に設けられるプリ−エンボスドトラック構造で、例えば、プリグルーブである。記録される情報はトラックに沿った光学的に検知可能なマークによって情報層上に表現される。マークは第1の物理的パラメータにより構成され、これにより、周囲より異なる光学的特性、例えば、反射率を持つ。
【００１８】
図１ｂは記録可能型の記録媒体１１の線ｂ−ｂの断面図であり、記録媒体には透明基板１５に記録層１６と保護層１７が設けられる。トラックの構造は、例えば、読み込み／書き込みヘッドが走査中にトラック９を追従することが可能とするプリグルーブ１４により構成される。プルグルーブ１４は押込み又はエレベーションとして導入されるか、或いはプルグルーブの材料とは光学的に異なる特性を持つ材料により構成する。プリグルーブは読み取り／書き込みヘッドがスキャンの間追従することを可能とする。トラック構造は、また、周期的にサーボ信号が生じるように規則的に分布するサブトラックが形成される。記録媒体は、例えば、ビデオ又はオーディオ情報、又はコンピュータデータのようなリアルタイム情報を保持するようにされている。
【００１９】
図１ｃは、図１ａの１２として示されるトラックのウォブルの例を示す。この図はトラックの規則的な横方向の変化を示し、これはウォブルと呼ばれる。この変化は、補助的検出器において、例えば、スキャン装置のヘッドの付随的スポット検出器に付加的信号を生じさせる。このウォブルは、例えば、周波数変調され、位置情報がこの変調に符号化される。図１ｃに示されるように、このような方法で符号化されたディスク情報を有する書き込み可能なＣＤシステムにおける先行技術の詳細な記載が米国特許第４，９０１，３００（PHN 12.398）及び米国特許第５，１８７，６９９（PHQ 88.002）に見ることができる。この発明によれば、プルグルーブが、以下に述べるようにプルグルーブの形状に関する物理的パラメータの変化により形成されるプリグルーブ変調が与えられる。
【００２０】
図１ｄはプリグルーブ変調を持つウォブルを示している。プルグルーブ変調１３を持つウォブルのあるプリグルーブ１４を示している。プリグルーブの形状、部分的断面形状、は符号化される付加的情報によって変えられる。このような形状の変化はスキャンの間、トラックから反射する輻射線に影響を与え、これにより検出することができる。図に示されるように、プリグルーブの幅がデジタル変調パターンにしたがって変調される。
【００２１】
トラックに沿った溝の形状（幅、深さ）の変調を付加的データチャンネルを生成するために使用することができる。如何なる変調パターン、例えば、アナログ、幅が緩やかに変化するもの又パルスの位置により付加的データを符号化する幅変化の一定の長さのパルスを持ついかなる変調パターンも使用できることを留意されたい。付加的データチャンネルは走行長さ変調、周波数変調、振幅変調、位相変調、或いは他の変調スキームとすることができ、高周波データ上に重畳されるものが最良である。主データチャンネルと付加的データチャンネルとを分離することを可能とするため、付加的チャンネルは主チャンネル（高周波チャンネル）より十分に大きいビット長さを持ち（即ち、低い空間周波数）、好ましくは主チャンネル（高周波チャンネル）より小さい振幅を持つ。バンドパス周波数フィルターが高低の周波数データパターンを分離するために使用することができる。周波数差のファクター１０は、主チャンネルのデータ容量の１０%で容易に付加的チャンネルデータとなる。洗練された信号処理アルゴリズムを使用することにより、データ容量は更に増える。この提案された解決はＨＥ−信号の振幅の付加的変調を含んでいる。これはＨＦ−データの内容や質に大きな影響を与えることなく行うことが出来る。従って、このような付加的データストリームを組み込んだディスクは、もちろん、依然として既存のシステムで余分なデータを引き出すことなく読み出すことができる。
【００２２】
記録媒体の実施態様において、プリグルーブの深さは変調パターンに従って変えられる。更に、この実施態様は幅と深さの組合せ、或いは、トラックから反射される輻射線に影響を与えるような他の好適な形状の変更も有している。その結果として生じる反射の変化は、主記録情報、即ち、少なくともウォブルによる反射率の変化のタイプから分離して検出できる主記録情報を符号化するマークに基づく反射率の変化と類似のタイプとなることは留意されるべきである。同じタイプの輻射線の反射の変化を持つことは、主及び補助情報の両方を取り出すために適しているスキャン信号を発生するための単一の検出器と前置回路の使用を可能とする。
【００２３】
このような記録媒体を製造するため、マスターディスクが作られる。このマスター処理の間、レーザービームレコーダーにより、トラックの名目上の中心から僅かに横方向にずらして照射することによりウォブルが書き込まれ、更に、マスター処理のレーザービームの出力強度をプルグルーブ形状変調を与えるために変調される。
【００２４】
スキャンすることによるデータの読み出しの間、ウォブルは、検出セグメント又は追従サーボ信号を発生するための付加的検出器により検出可能な反射ビームの断面における強度変化のような輻射線の第２のタイプの変化を介して検出される。追従サーボシステムのためのウォブルの検出は上述のＣＤ−Ｒ，ＣＤ−ＲＷシステムにより知られている。
【００２５】
補助情報はスキャン装置又はホストコンピュータにおいて処理される制御情報、例えば、記録情報にアクセスするためのコード、コピー制御をサポートする識別子、反偽造情報、その他アクセス機構のようなものに使用される。この付加的データチャンネルの制御情報は唯一の識別コードを表し、不法なコピーを保護するためのもの、又は透かしとなる。一つの実施態様において、付加的情報はユーザー用に使用できる。この付加的情報はソフトウエアープログラム、例えば、プロセス用、圧縮解除用、オーディオ又はビデオ材料の編集、ユーザーがソフトウエーァの機能を試行するためソフトウエアのフリーウエアタイプバージョンとすることができる。ある実施態様では、付加情報は、映画の予告編又はあるオーディオのＭＰ３バージョンのようなオーディオ又はビデオ情報とすることができる。
ユーザーは映画又はオーディオの全バージョンに興味を持つかもしれない。プロバイダーはこのようなフルバージョンを、例えば、インターネットを介して利用可能とすることができ、このバージョンを記録媒体にダウンロードし記録することもできる。
【００２６】
実際に記録媒体からフルバージョンを取り出し、又はそれにアクセスすることはプルグルーブ変調内にも含まれるアクセスコードを介して制御される。例えば、プロバイダーはユーザーにいくつかの予告編又はソフトウエアープログラム、例えば５本、を提供することができユーザーに一回だけ使うことを許可することができる。ユーザーは、次に、書き込み可能の記録媒体を購入するとき、1本の映画分の料金を支払う。したがって、コンテンツプロバイダーは、コンテンツ情報の１又は複数のサンプルを持つ記録媒体を販売し、ユーザーにサンプルのフルバージョンをインターネットのようなネットワークを介して入手可能とする。
【００２７】
図2はプリグルーブ検出を持つスキャン装置を示す。この装置は記録綯いたい１１上のトラックをスキャンする手段を備え、この手段は、記録媒体１１を回転するための駆動ユニット２１，ヘッド２２，ヘッド２２をトラックに対向して位置決めするためのサーボユニット２５とコントロールユニット２０を含む。ヘッド２２は輻射線ビーム２４を発生するための既知の光学システムを有し、ビームは記録媒体の情報層のトラックに輻射線スポット２３をフォーカスする光学要素を介して案内される。輻射線ビーム２４は輻射線源、例えばレーザーダイオードにより生成される。ヘッドは更に輻射線ビーム２４の焦点をビームの軸に沿って動かすためのフォーカシングアクチュエータ（図示せず）とスポット２３を半径方向に位置決めし、トラックの中心に正確に位置決めするトラッキングアクチュエータを有する。このトラッキングアクチュエータは光学要素を半径方向に動かすためのコイル、又はそれに替えて反射要素の角度を変える手段を有している。フォーカシングとトラッキングアクチュエータはサーボユニット２５からのアクチュエータ信号により駆動される。読み取るため、情報層により反射された輻射線は通常のタイプの検出器、例えば、ヘッド内の四分円ダイオードのような通常のタイプの検出器前置ユニット３１に結合されて検出信号を生成し、主スキャン信号３３及びトラッキングとフォーカシングのエラー信号３５を含む種々のスキャン信号を生成する。エラー信号３５はトラッキング及びフォーカシングアクチュエータを制御するためのサーボユニット２５に接続される。主スキャン信号３３は通常の読み取り処理ユニット３０に処理され、復調器、でフォーマッター及び情報を取り出すための出力ユニットを含んでいる。
【００２８】
コントロールユニット２０はスキャンニングと情報取り出しを制御し、ユーザーから、又はホストコンピュータから指令を受けるようにすることもできる。コントロールユニット２０は制御ライン２６、例えばシステムバス、を介して装置の他のユニットに接続される。コントロールユニット２０は、例えば、マイクロプロセッサー、プログラムメモリー、以下に説明する手順及び機能を実行するためのインターフェースのような制御回路を有している。コントロールユニット２０は、また、ロジック回路においてステートマシンとして具現される。一つの実施態様において、コントロールユニットは上述の主情報にアクセスするための付加的情報を処理する機能を実行する。
【００２９】
本装置は以下に説明するように、スキャン信号内のプリグルーブ変調を検出するための復調ユニット３２を有する。主スキャン信号３３は前置ユニット３１から受信される。主情報のマークに基づく信号３３における成分は除去され、プルグルーブ変調による信号が、例えば、ローパス又はバンドパス機能を持つフィルターにより分離される。補助信号のデータクロックを再構築するためのタイミング回復はウォブル周波数に基づくかプリグルーブ変調自体に基づいて行うことができる。一つの実施態様において、タイミング回復は主データのために取り出されたデータクロックに基づいている。補助データのデータビットを検出するため、同期式検出を適用することができる。一つの実施態様において、プリグルーブ変調にチャンネルコード及び／又はエラー訂正コードを持たせることができ、検出ユニットにチャンネルコード変調及びエラー訂正ユニットが与えられる。
【００３０】
リード処理ユニットはリード信号をデジタルビット値に復調するためのスライサーのような復調回路を含む。クイックスライサーは、更なる改変を必要とすることなく2次的マークにより生成される変化を、特に、2次マークが比較的小さい振幅差（例えば、１５%）を生じたとき、吸収することができる。一つの実施態様において、リード処理ユニット３０は、プリグルーブ変調によって生成されたプリグルーブ信号成分が存在する主スキャン信号からマークを検出するように適用される。例えば、このユニットはプリグルーブ」信号成分の周波数領域を実質的に阻止するフィルターユニットを含むことができる。一つの実施態様においては、リード処理ユニットは、検出されたプリグルーブ変調を表すプリグルーブ信号を受け取るためのプリグルーブ変調ユニットに接続される。プリグルーブ信号は、例えば実質的にプリグルーブ信号成分を除くために減算された主スキャン信号と結合される。これとは別に、ビット検出ユニットのスライサーレベルがプリグルーブ変調によって影響を受けるように検出された平均反射レベルに適合させることができる。
【００３１】
一つの実施形態において、前置ユニット３１は、トラックから反射した輻射線ビームからの輻射線量を示すミラー信号をスキャン信号として生成するため、いくつかの検出器からの信号を加算する結合回路を持つ。一つの実施態様において、結合回路は各利用可能な検出器セグメントからの信号を結合する。全反射量を示すこのような信号は別々に復調ユニット３２に結合するようにしてもよい。
【００３２】
一つの実施形態において、装置に書き込み可能か、再書き込み可能かの記録媒体のタイプ、例えば、ＣＤ−Ｒ，ＣＤ−ＲＷ，ＤＶＤ＋ＲＷ又はＢＤなどに関する情報を記録する手段が設けられる。この装置は、入力情報を処理し、ヘッド２２を駆動する書き込み信号を生成する書き込み処理手段を持ち、この手段は、入力ユニット２７、フォーマッター２８及び変調器２９を持つ変調手段を有している。情報を書き込むために、輻射線は記録層に光学的に検出可能なマークを生成するように制御される。マークは光学的に読み取り可能であればどのようなものでもよく、例えば、材料に記録するときに得られる染料、合金や相変化する材料のような反射率が周囲と異なる形態、又は磁気光学材料に記録することにより得られる、周囲と異なる磁極方向を持つ領域の形態とすることができる。
【００３３】
光学ディスク上に記録するための情報の書き込み及び読み出し、エラー補正及びチャンネルコーディングルールは、例えば、ＣＤ又はＤＶＤシステムにより良く知られている。ある実施形態において、入力ユニット２７は、アナログオーディオ及び／又はビデオ、又はデジタル非圧縮オーディオ／ビデオのような入力信号のための圧縮手段を有する。好適な圧縮手段はビデオについてＭＰＥＧスタンダードに記載され、ＭＰＥＧ−１はＩＳＯ／ＩＥＣ１１１７２に定義され、ＭＰＥＧ−２はＩＳＯ／ＩＥＣ１３８１８に定義されている。入力信号は、これに替えてスタンダードに従って既に符号化されるようにしてもよい。
【００３４】
図３は、未書き込みのトラック及び書き込まれたトラックを模式的に示す。未書き込みのトラック４１はプリグルーブ変調による大きな深さを持つ第１部分４５と通常の深さの第２部分４６を持つ。得られる反射率は曲線４２により与えられる。深い部分４５は少ない反射となる。主データマークを書き込んだ後のトラックの同一部分が書き込みトラック４３（平面図）として示される。カーブ４４はその結果の反射率を示している。トラックの深い部分４７は異なる反射パターン４８となる。効果的に、プリグルーブの深さはプリグルーブとトラックの脇のランド部分からの光線の干渉を起こす。この干渉は検出される光の変化の振幅となる。もし、二つの溝の深さが交わると、スキャンスポットがトラックの中央に位置するときは基本的には二つの反射レベルが発生する。
【００３５】
ユーザーはプリグルーブの浅い部分と深い部分の両方を横切る高周波数データを記録する。ユーザーデータの記録後、付加的データチャンネルは曲線４４として示されるように反射率の変調として現れる。
【００３６】
図４はトラックの断面方向の反射率プロファイルを示す。水平方向において、半径方向の位置が示され、即ち、トラックを横切る方向におけるリードスポットの空間変位が示され、０はプリグルーブ上の中心の輻射線スポットに対応し、−０．５と＋０．５は２つのプリグルーブ間のランド上のスポットに対応する。上側のグラフは、４０%の溝デューティサイクル（トラックピッチ対幅の割合）を使用した半径位置の関数としてプリグルーブの変調深さの結果を示す。カーブ５１は深さ２５ｎｍのプリグルーブのもので（ブルーレーザーを使用）、カーブ５２は深さ３５ｎｍのプリグルーブについてのものである、矢印５３は中央スポットを使用するプリグルーブ深さ変調を検出するために利用できる反射率の差を示す。下側のグラフは、二つの異なる溝幅について、溝の深さが３０ｎｍを使用したプルグルーブの深さ変調の効果を示す。カーブ５４は３０%の溝デューティサイクルを示し、一方、５０%溝デューティサイクルでは実質的に直線カーブ５６となる。実際の状況では、溝はスポットが中心からずれたときはトラッキングエラー信号を発生するという基本的機能を持つため、平均の反射率はフラットにはならいということを留意すべきである。矢印５５は、中央スポットを使用するプリグルーブ幅変調を検出するために利用できる反射率の差を示す。
【００３７】
本発明は、主に反射率の変化に基づく光学ディスクを使用した実施例によって説明したが、本発明は、また、矩形の光学カード、光磁気ディスク又は書き込み可能な記録媒体上に予めパターンを施したような他の情報記憶システムについても適している。この文書においては、用語「有している」（comprising）は他の要素又は挙げられた以外のステップの存在を排除するものではなく、また、要素の前にある用語「一つの」（’a’, ‘an’）は、その要素が複数存在することを排除するものではなく、参照符号はクレームの範囲を制限するものでなく、また、本発明はハードウエア及びソフトウエアの両方の手段によって適用されるものであり、いくつかの「手段」（means）又は「ユニット」（unit）はハードウエア又はソフトウエアの同じアイテムによって表現できるものである、ということを留意されたい。更に、本発明の範囲は実施例に限定されるものではなく、本発明はこれまで述べた全ての新規な態様又はそれらの組合せに存在するものである。
【図面の簡単な説明】
【００３８】
【図１ａ】ディス型記録媒体を示す図である。
【図１ｂ】記録媒体の断面を示す図である。
【図１ｃ】トラックのウォブルの例を示す図である。
【図１１ｄ】プルグルーブ変調を持つウォブルを示す図である。
【図２】プリグルーブ変調検出を持つスキャン装置を示す図である。
【図３】書き込みのないトラック及び書き込まれたトラックを模式的に示す図である。
【図４】トラックを横切る方向の反射プロファイルを示す図である。
2006512707.tif 000003
【図２】
2006512707.tif 000004
【図３】
2006512707.tif 000005
【図４】
2006512707.tif 000006
【国際調査報告】
2006512707.tif 000007
2006512707.tif 000008
2006512707.tif 000009